(57)【特許請求の範囲】
【請求項１】
窃盗抑止タグの留め鋲取付機構であって、
細長い留め鋲本体と留め鋲ヘッドを有し前記タグに取り付け可能な留め鋲アセンブリであって、前記留め鋲ヘッドは、前記細長い留め鋲本体に隣接しかつくぼみ領域を有する側面を有する留め鋲アセンブリと、
前記留め鋲ヘッドに離脱可能に取り付けられる保持部材であって、前記くぼみ領域内に受けられる端部を含み、前記留め鋲アセンブリが前記タグに取り付けられたときに、前記細長い留め鋲本体に隣接する前記留め鋲ヘッド側面が前記タグの一部に隣接するように設けた保持部材と、
前記留め鋲アセンブリが前記タグに取り付けられたときに、前記保持部材端部が前記くぼみ領域から離脱することを防止する手段とを、
含んでなる留め鋲取付機構。
【請求項２】
前記細長い留め鋲本体に隣接する前記側部は、前記留め鋲アセンブリが前記タグに取り付けられたときに、前記タグの一部に実質的に直接接触するように設けた請求項１の留め鋲取付機構。
【請求項３】
前記保持部材端部が前記くぼみ領域から離脱することを防止する前記手段は、前記くぼみ領域内に設けたブロック部材と、前記保持部材端部に設けた第１ショルダを含み、前記保持部材端部が離脱することを防止するために前記ブロック部材を前記第１ショルダに接触するように設けた請求項１の留め鋲取付機構。
【請求項４】
前記保持部材は剛性である請求項３の留め鋲取付機構。
【請求項５】
前記保持部材は半可撓性である請求項３の留め鋲取付機構。
【請求項６】
前記保持部材端部は実質的に球状の部分を含む請求項３の留め鋲取付機構。
【請求項７】
前記保持部材は、ループとして終結する第２端部を含んでなる請求項５の留め鋲取付機構。
【請求項８】
前記第１ショルダは前記保持部材の細くなった部分によって形成されている請求項３の留め鋲取付機構。
【請求項９】
前記保持部材端部はエルボー部を含み、前記第１ショルダは前記エルボー部分によって形成されている請求項４の留め鋲取付機構。
【請求項１０】
前記細長い留め鋲本体に隣接する前記留め鋲ヘッド側面は第１及び第２くぼみ領域を含み、前記保持部材は該第１及び第２くぼみ領域にそれぞれ受けられる第１及び第２端部を含んでなる請求項１の留め鋲取付機構。
【請求項１１】
前記保持部材は剛性である請求項１０の留め鋲取付機構。
【請求項１２】
前記保持部材は半可撓性である請求項１０の留め鋲取付機構。
【請求項１３】
前記留め鋲アセンブリが前記タグに取り付けられたときに、前記第１及び第２保持部材端部がそれぞれ前記第１及び第２くぼみ領域から離脱することを防止する手段を更に含んでなる請求項１０の留め鋲取付機構。
【請求項１４】
前記第１及び第２保持部材端部がそれぞれ前記第１及び第２くぼみ領域から離脱することを防止する前記手段は、前記第１及び第２くぼみ領域にそれぞれ設けた第１ブロック部材及び第２ブロック部材と、前記第１及び第２保持部材端部にそれぞれ設けた第１及び第２ショルダを含み、前記第１及び第２保持部材端部が離脱することを防止するために、前記第１ブロック及び第２ブロック部材がそれぞれ前記第１ショルダ及び第２ショルダに接触するように設けた請求項１３の留め鋲取付機構。
【請求項１５】
窃盗抑止タグの留め鋲取付機構であって、
細長い留め鋲本体と、該細長い留め鋲本体に隣接する側面を備える留め鋲ヘッドを有し前記留め鋲に取付可能な留め鋲アセンブリと、
前記細長い留め鋲本体に隣接する前記留め鋲ヘッド側面において前記留め鋲アセンブリに離脱可能に取り付けられる保持部材であって、前記くぼみ領域内に受けられる端部を有し、前記細長い留め鋲本体に隣接する前記留め鋲ヘッド側面が実質的に前記タグの一部にじかに接触するように設けた保持部材と、
前記留め鋲アセンブリが前記タグに取り付けられたときに前記保持部材端部が前記くぼみ領域から離脱することを防止する手段とを、
含んでなる留め鋲取付機構。
【請求項１６】
窃盗抑止タグの留め鋲取付機構であって、
細長い留め鋲本体と、留め鋲ヘッドを有し前記タグに取付可能な留め鋲アセンブリであって、前記留め鋲ヘッドは、前記細長い留め鋲本体に隣接する側面に第１及び第２くぼみ領域を有し、前記第１及び第２くぼみ領域はそれぞれ第１及び第２ブロック部材を含む留め鋲アセンブリと、
前記細長い留め鋲本体に隣接する前記留め鋲ヘッド側面に離脱可能に取り付けられる保持部材であって、前記第１及び第２くぼみ領域内にそれぞれ受けられる第１及び第２端部を有し、該第１及び第２端部は、前記第１及び第２ブロック部材にそれぞれ係合する大きさに設けた第１及び第２ショルダを含んで前記第１及び第２保持部材端部が前記第１及び第２くぼみ領域からそれぞれ離脱することを防止し、前記留め鋲アセンブリが前記タグに取り付けられたときに、前記細長い留め鋲本体に隣接する前記留め鋲ヘッド側面が実質的に前記タグの一部にじかに接触するように設けた保持部材とを、
含んでなる留め鋲取付機構。
【発明の詳細な説明】
【０００１】
【技術分野】
本発明は盗みの防止に用いる安全タグに関し、特に、保護又は識別される商品に安全タグを取り付ける機構に関する。
【０００２】
【背景技術】
窃盗を抑止することは現在いくつかの方法で達成される。保護すべき商品に単に鍵をかけることはできる。しかしながら、販売環境において、施錠した状態で商品をおいておくことは事実上衝動買いをなくし販売量を減らす。利益否認は、盗んだ商品の使用利益をなくして商品を持ち去る動機をなくすという別の技術である。利益否認は、保護される商品に取り付けるインクタグの使用を含む。保護された商品からインクタグを取り除こうとすると、インクタグが破れて内容物（これは典型的に不変インク）が商品及び盗んだ人にかかる。窃盗を抑止する別の技術は、電子式物品（商品）監視システムによって検出されるタグを保護すべき商品に取り付けることである。
【０００３】
電子式物品監視（ＥＡＳ）システムは当該技術分野においてよく知られており、在庫管理と、商品の窃盗防止その他商品を所定場所から不当に移動することを防止することに用いられている。典型的に、そういったシステムは、商品が所定場所から持ち去られて通過する１つ異常の監視ゾーンを与える少なくとも１つの送信機と、少なくとも１つの受信機を含む。
【０００４】
ＥＡＳ安全タグは保護すべき各商品に取り付けられる。ＥＡＳタグは、監視ゾーンにおいてシステム送信機によって送信された信号に対して反応マーカー即ちセンサを含む。マーカー又はセンサの反応はシステム受信機によって検出される更なる信号を監視ゾーン内に生じさせる。従って、タグの付いた商品が監視ゾーンを通るように移動されると、信号が発生してそれがシステム受信機によって受信されタグ付きの商品が監視ゾーン内に存在することが検知される。
【０００５】
ある種のＥＡＳタグは再使用できるように設計されていて、そのため、タグを保護すべき商品に取り付けるための着脱自在の装置を含む。取付装置は権限のある者のみが取り外すことができるように設計されており、典型的に、関連する特別なツール又は取り外し機構を使用する必要がある。
【０００６】
特に信頼できかつ窃盗抑止のために広く使用されている再使用可能なＥＡＳタグは、Nuguyen他に付与された米国特許第５，４２６，４１９号に記載されており、この特許は参考のためにここに組み入れられる。
【０００７】
図１及び２（従来技術）に関して説明すると、実施形態のＥＡＳタグ１はタグ本体２と、タック（留め鋲）ヘッド４０及び細長いタック（留め鋲）本体４１を有するタック（留め鋲）アセンブリ４を備える取付機構を含む。ＥＡＳタッグ１及びタックアセンブリ４は上記米国特許の図１及び６Ａに十分に説明図示されている。利便ために、上記図１及び６Ａはそれぞれ、ここで図１及び２として再生されている。
【０００８】
タック本体４１はタグ本体２の第１開口内に受けられる。タグ本体２内の受け掴み手段はタック本体４１のスロット又は溝４２の１つを受けて掴むので、タック本体４１がタグ本体２から引き抜かれることが防止される。タグ本体の第２開口は、円弧状のプローブが掴み手段を解放する手段内に案内されるようにする円弧状の溝を含み、これにより、タック本体４１をタグ１から引き抜くことができ、タックアセンブリ４をタグ１から分離することができる。
【０００９】
保護すべき商品５１にタグ１を取り付けるために、タック本体４１は商品５１の一部に押し通されて、タグ本体２の第１開口内に挿入され、そこで掴み手段によって把持される。タック本体４１は、それを種々の商品５１に刺し通すための尖端４３を含む。タック本体４１は商品の一部を貫通でべきでないか、あるいは貫通できないことが望ましい場合がある。
【００１０】
例えば、ＥＡＳタグが靴に取り付けられるとき、タック本体４１を靴ひも孔に通してタグ１を靴に取り付けることができる。この方法は靴のタイプによっては優れているが、タグ／タックヘッドがしばしば靴ひも孔を覆うので、靴ひもを通すことを妨げ、また、靴皮に好ましくない跡形を残すことになる。
【００１１】
さらに、ブリーフケース、スーツケース、電動及び手動工具、スポーツ用品その他の硬質及び軟質用品のような商品は、その商品の部分にタック本体を通すことができないので、適当にタグ付けすることができない。
【００１２】
図３（従来技術）に言及して、物品の部分にタック本体を通さない例の場合、両端にループ６を有するワイヤーランヤード３を保護すべき商品に巻き付けることができ、あるいは商品の適当な開口に通すことができる。タック本体４１を一方又は両方の端部ループ６に通し、タック本体４１をタグ本体２の第１開口に挿入することによってワイヤーランヤード３をタグに取り付けることができる。しかしながら、タック本体４１の周りに配設されたワイヤーの端部ループ６は、タックヘッド４０が比較的タグ本体２にじかに接することを妨げスペース７を残す。ワイヤーによってタックヘッド４０とタグ本体２の間に生じたスペース７は、権限のない者がてこ装置をタックヘッド４０にあてがってタック本体４１を掴み手段から引き離して商品からタグを取り除くことを可能にする。
【００１３】
タックヘッドとタック本体を取付装置の一部として含むタイプのＥＡＳ又はその他のタグであって、タックヘッドがタッグ本体に接して休止することが妨げられるタグを用いる場合に、改良されたタック取付機構が要望されている。
【００１４】
【発明の開示】
本発明によれば、タックアセンブリを取付機構の一部として含むタイプの窃盗抑止タグのための改善されたタックアセンブリが与えられる。このタックアセンブリの実施形態の１つは、上述の米国特許第５，４２６，４１９号に開示されている。しかしながら、保護又は識別すべき商品にタグを取り付けるタックアセンブリを用いるその他の多くのタグが知られており、本発明は上記米国特許に開示されたタグのみに応用が限定されるものではない。
【００１５】
本発明の新規なタックアセンブリは、保持部材を受ける新規なタックヘッドを備える公知の細長いタック本体を用いる。保持部材は、Ｃ型、Ｕ型、三角形又は実質的に閉じたループを形成するその他の形状とすることができる。ここでいう保持部材は、閉鎖ループを形成することができる全ての形状及び材料を含むと解釈される。
【００１６】
保持部材の両端はタックヘッドの下及び中に固定される。保持部材の両端は、タック本体がタグ本体の第１開口に挿入されて掴み機構によって固定されたときに、タックヘッド内で所定位置に把持される。タック本体が掴まれると、タックヘッドの下部から保持部材を取り外すことができないようにタックヘッドはタグ本体に近接して位置される。１実施形態において、タックヘッドは実質的にじかにタグ本体に接触するように位置される。
【００１７】
タックヘッドは、タックヘッドの下又は細長いタックヘッドと隣り合うタックヘッドの側面上に適当な１つ又は複数のくぼんだ領域を有し、その領域で保持部材を受ける。タックヘッドのくぼんだ領域は、保持部材の少なくとも一端を受けるような大きさと形状に設けられている。保持部材の端部はタックのくぼんだ領域内で整合ショルダ又はブロッキング部材によって保持されるショルダを含み、これにより、タックアセンブリがタグ本体内の所定位置にあるときに、保持部材の端部がタックヘッドから引っ張り出されることを防止している。１実施形態において保持部材の端部は球形（ボール形状）である。
【００１８】
保持部材を剛性のものとすることができ、強くした鋼、ワイヤー又は同様な材料からなるものとすることができ、好ましくは強くした鋼性ロッドからなる。保持部材は商品の部分に位置する適当な開口を通過させ、あるいは、商品の部分の周りに巻き付かせることができ、タック本体がタグに挿入されたときにタック内に挿入されてタックによって固定される。上記米国特許第５，４２６，４１９号に開示されるように、タックヘッドは、タック本体の溝の１つを掴むタグ本体内の掴み機構によってタグ本体に隣接して堅固に保持される。保持部材がタックヘッド内から離脱することがないようにタックヘッドが保持される限り、本発明のタックアセンブリのタック本体を掴むために、いかなる公知の掴み機構もタック本体内で使用できる。
【００１９】
適当な長さのワイヤーランヤードもまた、保護すべき商品に取り付けるいくつかの応用例において使用することができる。ランヤードは両端にループを有することができ、各ループは保持部材によって固定されてより大きなワイヤーループを形成する。ワイヤーランヤードを商品の部分の周りに通過させることができ、あるいは、商品の適当な開口を通過させることができ、次に、端部ループを介して保持部材によって固定される。保持部材の端部は、タグ本体内に設置されるときにタックヘッドによってしっかりと把持される。
【００２０】
保持部材はタックヘッドに関して１８０°自由に回転できる。タック本体は取り付けられたタックヘッドと共にタグ本体に対して掴み機構内で好ましくは３６０°回転する。従って、保持部材はタグ本体に対して３６０°、タックヘッドに対して１８０°回転することができ、多様な取付角を与えることができ、また、正当な権限を有さない者がこじ開け又はいじくってタグ取付機構を破壊することを一層困難にすることができる。
【００２１】
以下に十分に説明するように、代替的に、ワイヤーの一端又は両端にボールその他の形状の構造体を含むワイヤーランヤードを保持部材として使用することができ、その構造体は、タックヘッドの下及びタックヘッド内の関連する１つ又はそれ以上のくぼんだ領域によって掴まれる。ボールその他の構造体は、ワイヤーがタックヘッドから引っ張り出されることを防止するショルダを形成する。
【００２２】
本発明は、保護されるべき非常に多様な商品にタグを容易かつ適正に取り付けることができる窃盗抑止タグ取付アセンブリを提供する。本発明を利用することによって、靴、ブリーフケース、スーツケース、財布、電動工具と手動工具、スポーツ用品、及びその他の硬質及び軟質用品のような商品に適正にかつしっかりとタグを取り付けることができる。
【００２３】
さらに、本発明は、商品のためのロック機構を提供するために使用することができる。例えば、ランヤードを十分に長くして１つ又は２以上の商品に係合させ、次に、固定した構造体の一部の周りに通して、あるいは一部に通してその構造体に商品をロックするためにタグ本体に固定する。
【００２４】
従って、本発明の１つの目的は、タックヘッドと細長いタック本体を有するタックアセンブリ及び着脱自在な保持部材を含むタイプの窃盗抑止タグのための改良された取付機構を提供することである。
【００２５】
本発明の別の目的は、タグ本体に密着して取り付けられたときにタックヘッドによって捕らえられる保持部材を含む窃盗抑止タグのための改良された取付機構を提供することにある。
【００２６】
本発明のさらに別の目的は、タグ本体にじかに接触して取り付けられたときにタックヘッドによって捕らえられる保持部材を含む窃盗抑止タグのための改良された取付機構を提供することにある。
【００２７】
本発明のさらに別の目的は、タックヘッドがタグ本体に適正に隣接して休止することを妨げることなく、適当な長さのワイヤーランワードを使用することができる窃盗抑止タグのための改良された取付機構を提供することにある。
【００２８】
本発明のその他の目的、利点及び応用は、以下の本発明の実施形態の詳細な説明によって明らかになる。
【００２９】
【発明の実施形態】
図４，５及び６において、本発明の図示の実施形態は、タックアセンブリ１５と、保持部材８を含む。タックアセンブリ１５はタックヘッド１６と、細長いタック本体１７を含む。保持部材８は端部部材１０，１１を含む。保持部材８は、Ｃ型、Ｕ型又は三角形若しくは実質的に閉鎖ループを形成するどのような形状の保持部材とすることができる。タックヘッド１６は、保持部材８の端部１０と１１をそれぞれ受ける大きさに設けたくぼみ領域１８，２０を含む。くぼみ領域１８，２０は、タックヘッド１６の細長いタグ本体１７に隣接する下面５５に設けられている。端部部材１０，１１はそれぞれ、細長いタック本体１７がタグ本体２の第１開口（図示省略）に挿入される前に、タックヘッド１６の下面５５からくぼみ領域１８，２０内に置かれる。細長いタック本体１７がタグ本体２に挿入されたときに、タックヘッド１６内の保持部材８が下面５５よりくぼんだところに位置するので、下面５５はタグ本体２に極めて近接した状態で休止することができる。タックヘッド１６は、保持部材８の端部１０，１１がタックヘッド１６の下面５５のくぼみ領域１８，２０から離脱しないように、タグ本体２に十分近接して保持される。
【００３０】
好ましい実施形態において、タックヘッド１６は、実質的にタグ本体２にじかに接触するように保持される。タックヘッド１６が実質的にタグ本体２にじかに接触して休止することは不可欠ではない。しかし、タックアセンブリ１５がタグ本体２内に保持されるときに、保持部材８がタックヘッド１６の下面５５から離脱しないことは不可欠である。さらに、タグ１からタックアセンブリ１５を取り外そうとする企てにたいして、こじ開けツールを用いてタックヘッド１６にてこ作用を与えるための十分なスペースをタックヘッド１６とタグ本体２の間に与えないことである。さらに、タックアセンブリ１５がタグ１内のの所定位置にあるときに、保持部材８の端部１０，１１をタックヘッド１６のくぼみ領域１８，２０から横方向外側に、即ち、細長いタック本体１７に実質的に垂直な方向に引き出すことができないようにすることが重要である。もしもいずれかの端部１０又は１１がくぼみ領域１８又は２０から横方向に引き出されるならば、保護すべき商品からタグ１が取り外されてしまう。故に、タックアセンブリ１５がタグ１内の所定位置に置かれたときに、端部１０，１１がくぼみ領域１８，２０から横方向外側に取り外されないようにする機構が必要である。
【００３１】
１実施態様において、保持部材８の端部部材１０，１１は、タックヘッド１６のくぼみ領域１８，２０領域内で対応するショルダ又はその他のブロック（封鎖）部材と整合するショルダを形成するように形作られる。好ましい実施形態において、端部材１０，１１の形状はそれぞれ肩５０，５２を形成するほぼ球形である。くぼみ領域１８，２０は、図５に最もよく示すように、肩５０，５２とそれぞれ係合する大きさに設けた肩、即ちブロック部材５４，５６を含み、端部１０，１１が横方向に離脱することを妨げる。代替的に、肩５４，５６を端部１０，１１の横方向の離脱を妨げるくぼみ領域１８，２０内のいかなるブロック機構とすることができる。
【００３２】
図４に示すように、実施態様において、保持部材８の直径を、細くなった部分１２，１４を除いて、端部１０から端部１１まで均一とすることができる。細くなった部分１２，１４はショルダ５０，５２を形成するように用いられる。先に説明したように、ショルダ５０，５２は、タックヘッド１６がタグ本体２の所定位置に置かれたときに、保持部材８をタックヘッド１６から不正に横方向位取り外すことを防止するために使用される。代替的に、細い部分部分１２，１４に代えて、球形端部１０，１１をより大きな直径のものとすることができ、そうすれば肩５０，５２と同様に用いることができる肩（図示は省略するが、肩５０，５２と同様な肩）を形成する。さらに、保持部材８の端部１０，１１は球形以外の形状とすることができ、そういった形状は、タックヘッド１６がタグ１と共に組み立てられたときに、くぼみ領域１８，２０内で対応するブロック部材と係合する肩を形成してタックヘッド１６から保持部材８が横方向に取り外されることを防止するものである。
【００３３】
故に、正当な権利を持たない者は、一旦タックアセンブリ１５がタグ１の所定位置に適正に保持されたときに、保持部材８を取り外すことができない。掴み機構はタグ１内にあるので、適当な解除ツールを用いることなくタック本体１７をタグ本体２から自由に引き抜くことはできない。保持部材８の端部部材１０，１１をタックヘッド１６内のくぼみ領域１８，２０から横方向外側に引き抜くことを企てても、タックヘッド１６内のブロック部材５４，５６はそれぞれ、肩５０，５２と係合する大きさに設けられている。
【００３４】
保持部材８の端部１０，１１をタックヘッド１６の下面５５のくぼみ領域１８，２０から取り外すことができないようにタグ本体２に十分近接した位置にタックヘッド１６を位置させることができるならば、タック本体１７を保持するためにいかなる公知の掴み手段もタグ１に用いることができる。多くの掴み手段が当該分野において公知であり、それらのうちの多くを本発明に使用することができる。先に説明したように、本発明に使用できる特定の掴み機構の例は上記米国特許特許第５，４２６，４１９号に十分に記載されており、その内容は参照のためにここに組みいれられる。
【００３５】
図６において、保持部材８は、矢印Ａで示すように、タックヘッド１６に対して、好ましくはタック本体１７に垂直な回転軸周りに約１８０°回転することができる。タック本体１７は取り付けられたタックヘッド１６と共に、掴み機構内でタグ本体２に対して好ましくはタック本体の軸と同じ軸である回転軸周りに３６０°回転することができる。故に、保持部材８は、矢印Ｂで示すように、タグ１に対して３６０°回転することができる。保持部材８がタグ本体２に関して３６０°、タックヘッド１６に関して１８０°回転するので、タグ１に関する複数の取付位置が可能となり、タックヘッド１６にてこを使用することが可能な位置を減らすことができるので更なる保護を与えることができる。
【００３６】
図７に言及し、使用の際に、保持部材８を保護又は識別される商品の適当な開口に通すことができる。図７に示す例では、保持部材８は靴２１の一部に通される。保持部材８の端部部材１０，１１は次にそれぞれタックヘッド１６のくぼみ領域１８，２０内に置かれる。タック本体１７が次にタグ本体２の第１開口（図示省略）に挿入され、タックアセンブリ１５とタグ１は、タックヘッド１６の下面５５がタグ本体２に比較的じかに接触して正しく着座するように、一緒に押圧される。
【００３７】
同様に、保持部材８を保護又は識別される多様な異なる商品の適当な開口に挿入するか、あるいは、商品の適当な部分の周りに置くことができる。しかしながら、ある商品はこのような方法でタグの取付を行うことが適当でないかもしれず、図８に示すようなランヤード１３を使用することを必要とするかもしれない。ランヤード１３は好ましくは強化ワイヤーからなるが、切断又は破断が困難な適当な半可撓性のいかなる材料のものでも良い。ランヤードの両端にループ６１が設けられており、このループを取付カラー６０によって形成することができる。カラーは、当該分野において公知の圧力ばめ、溶着又は接着等により形成可能である。ランヤード１３は、目的とする特定の応用に対して適当な径及び長さのものとすることができる。
【００３８】
図９において、特定の応用例に関して、ランヤード２２を球状端部部材２４を有するように構成でき、この球状端部部材は、保持部材８の端部部材１０，１１と同様な方法でタックヘッド１６のくぼみ領域１８，２０内に置かれる。端部部材２４は、カラー６０と同様な取付カラー５８によってランヤード２２に取り付けられる。ランヤード２２を所望の長さ及び径にすることができる。端部部材１０，１１と同じように、タックアセンブリ１５がタグ１の所定位置に置かれたときに、球状端部部材２４がタックヘッド１６のくぼみ領域１８，２０から取り外されることを防止する機構が設けられる限り、端部部材１０，１１と同じように、球状端部材２４を球状以外の形状にすることができる。
【００３９】
図１０に言及し、１代替実施形態において、ランヤード２３の一端は、第２の球２５に代えて取り付けられたループ２６を有する。球状端部部材２５はカラー５９において取り付けられ、端部部材２４とカラー５８と同じである。端部部材２４と同様に、端部部材２５の特定の形状は球状以外のものとすることができる。
【００４０】
ループ２６は球２５が十分にちょうど通過できるくらいの大きさであるが、タグ１が通過できないくらい十分小さい。球２５をループ２６に通し、そしてタックヘッド１６内の一方のくぼみ領域１８又は２０に入れることによって、ランヤードの大きなループ２３が作られて保護すべき適当な商品の周りに巻かれる。
【００４１】
図１１において、ショルダ６４を備える単一端部部材６２を有する剛性ループ６０として保持部材の代替実施形態を図示する。端部部材６２はタックヘッド１６のくぼみ領域１８又は２０内に置かれ、先に説明した端部部材１０，１１と同様に作用する。ループ６０は、所望するならば、部位６６において溶接、溶着又は接着される。保持部材の別の実施形態において説明した端部部材と同じように、端部部材６２は球状以外のものとすることができる。
【００４２】
図１２に言及し、ランヤード２３，剛性ループ６０及び本発明によって実装されるその他の物のような、単一端部部材を有する保持部材のために、変形されたタックヘッド６８は、端部部材２４又は６２、あるいは、ここで実装される図示省略のその他の端部部材を受けるためのただ１つのくぼみ領域７０を備えるように設けられる。細長いタック本体６９は、タック本体１７と同一である。くぼみ領域７０は、協働する保持部材の挿入された端部部材が横方向に離脱することを防止するショルダ７２その他のブロック部材を含むことができる。
【００４３】
タックヘッド内のくぼみ領域内に配設される特定のブロック部材は、協働する保持部材の（１つまたは複数の）端部部材の構造によって決定される。ここに例として用いられる端部部材の球形と、それに対応する形状のくぼみ領域は発明を実施するための最良の形態であると考えられる。しかしながら、保持部材の端部部材がタックヘッドから横方向に離脱することを防止するためにその他のブロック機構を用いることもできる。
【００４４】
例えば、図１３，１４及び１５に言及し、保持部材３０は、エルボー部材又は保持部材３０の単に折り曲げられた連続部である端部部材３２を含む。タックヘッド３４は、それがタグ本体２に比較的直接接触して休止するように保持部材３０を受ける大きさに設けたくぼみ領域３６，３８を含む。くぼみ領域３８はくぼみ領域３６にほぼ垂直であり、端部部材３２を収容するためにくぼみ領域よりもより深くタックヘッド３４内に延伸している。上に説明した好ましい実施形態のように、タックヘッド３４がタグ本体２に隣接して置かれたときに、保持部材３０をタックヘッド３４の下面から離脱されるための隙間、また、こじ開け工具を差し込める隙間をタックヘッド３４とタグ本体２の間に与えないようにしなければならない。
【００４５】
さらに、くぼみ領域３８内のブロック部材３９が端部部材３２を停止させるので、正当な権限を有しない者は保持部材３０をタックヘッド３４から横方向に離脱させることができない。くぼみ領域３８の外側壁３７がブロック部材３９を形成することができる。保持部材３０がタックヘッド３４から横方向外側に引っ張られると、端部部材３２の内面３３がブロック部材３９に突き当たって停止するので、端部部材３２がくぼみ領域３８から横方向に離脱することを妨げる。ブロック部材３９は、ピン、棒又は端部図材３２の離脱を防止するその他の構造体のような、他の構造体（図示省略）から形成することができるが、壁３７がブロック部材の好ましい実施形態である。
【００４６】
保持部材３０は、好ましくは、図１５図に矢印で示すように、タックヘッド３４に関して、細長いタック本体３５に垂直な回転軸周りに１８０°回転することができる。タック本体３５は、好ましくは、タグ本体２内の掴み機構内でタグ１に対して３６０°回転することができ、これにより、タックヘッド３４と保持部材３０を細長いタック本体３５の軸線と一致する回転軸まわりに３６０°回転させる。
【００４７】
本発明の範囲から逸脱することなく、発明を変形及び変更可能なことは明白であることが理解されるべきである。また、発明の範囲はここで開示された特定の実施形態に限定されるものではなく、以上の説明に照らして、添付の特許請求の範囲のみに従うことが理解されるできである。
【図面の簡単な説明】
【図１】  従来技術のＥＡＳタッグ及びタック取付アセンブリの斜視図である。
【図２】  従来技術のタックアセンブリの側面図である。
【図３】  従来技術のタックアセンブリ及び窃盗抑止タグを用いたワイヤーランヤードの部分側面図である。
【図４】  本発明の保持部材の実施形態の斜視図である。
【図５】  本発明のタックアセンブリの実施形態の底部斜視図である。
【図６】  ＥＡＳタッグと共に用いた本発明の実施形態の上部斜視図である。
【図７】  物品に取り付けられた、図４乃至６に示す本発明の実施形態の斜視図。
【図８】  図４乃至６に示す本発明の実施形態と共に用いたランヤードの斜視図。
【図９】  本発明の保持部材の代替実施形態の斜視図。
【図１０】  本発明の保持部材の代替実施形態の斜視図。
【図１１】  本発明の保持部材の代替実施形態の斜視図。
【図１２】  本発明のタックアセンブリの代替実施形態の底面図。
【図１３】  本発明の保持部材の代替実施形態の斜視図である。
【図１４】  本発明のタックアセンブリの代替実施形態の底面図である。
【図１５】  図１４の１５−１５線断面図である。
【図１】
0004387062.tif 000002
【図２】
0004387062.tif 000003
【図３】
0004387062.tif 000004
【図４】
0004387062.tif 000005
【図８】
0004387062.tif 000006
【図１３】
0004387062.tif 000007
【図５】
0004387062.tif 000008
【図６】
0004387062.tif 000009
【図７】
0004387062.tif 000010
【図９】
0004387062.tif 000011
【図１４】
0004387062.tif 000012
【図１５】
0004387062.tif 000013
【図１０】
0004387062.tif 000014
【図１１】
0004387062.tif 000015
【図１２】
0004387062.tif 000016